(57)【特許請求の範囲】
【請求項１】
過酸化水素塗布用ゲル（gel)を塗布できるマウスピース部(１０)と、
取っ手ケース（２０）の内部先端に設けられ、光を発散して歯牙を白くするためのランプ部（２１）と、
前記取っ手ケース（２０）の内部にはＰＣＢコントロールパネル（２２）を中心に下側に収容された２次乾電池（２３）と、
上側に設けられ、オンオフスイッチ（２４）によって作動する振動素子（２５）と、
前記取っ手ケース（２０）の後方に設けられ、前記２次乾電池（２３）を充電するためのＵＳＢポート充電部（２６）と
を有し、
前記マウスピース部（１０）は、
上面視において、アーチ状のアーチ板（１２）と、
前記アーチ板の上下中央部から前記アーチ板よりも突出し、歯牙で銜えられ、美白剤が塗布される多数の歯牙噛合板（１１）と、を含み、
前記アーチ板（１２）は、断面視において歯牙噛合板（１１）が突出する方向が開口した、コの字状となっていることを特徴とする歯牙美白器。
【請求項２】
前記ランプ部（２１）は、上下に並列で設けられた多数のランプ（２１ａ）と、
前記ランプ（２１ａ）の上下側面に設けられ、光を拡張させる導光板（２１ｂ）と、
が備えられることを特徴とする請求項１に記載の歯牙美白器。
【請求項３】
前記ランプ（２１ａ）はＬＥＤからなって可視光線領域の光を生成することを特徴とする請求項２に記載の歯牙美白器。
【発明の詳細な説明】
【技術分野】
【０００１】
本発明は歯牙美白器に関するものであり、特に本体の内部に振動素子が設置され、この振動によって過酸化水素塗布用ゲル（gel)を歯牙に均一に塗布できる歯牙美白器に関する。
【背景技術】
【０００２】
近年、ウェルビーイング（Ｗｅｌｌ−ｂｅｉｎｇ）について大勢の人々が関心を有している。産業化によって人々は物質的な豊かさを享受するようになり、これからは何を食べて生きるのかよりはどのようにすればより良い人生過ごせるかが注目されている。このように、生活水準が向上するにつれて、人々は自分の生をより美しくするために、自分の外的な姿を美しく変化させようと努力する。その一例として、自分の歯牙を白くする歯牙美白があり、これは自分と相対する人々にきれいなイメージを与えることができる。
【０００３】
歯牙美白が始まった初期には、最も単純な方法として、歯牙美白剤が少量含有された歯磨粉で歯を磨いて美白効果を得る方法であった。
【０００４】
しかし、歯磨粉に含有された美白剤の量は結構少なくて、歯牙の表面に沈着した着色成分などを効果的に除去できなかった。
【０００５】
より効果的な美白治療のために、歯科で美白剤パッドやレーザーを用いる専門的な手術を受ける方法も使用されている。この方法は、美白効果は優れたものの、長期間、周期的に通院治療を受けなければならない面倒さがあり、高価の治療費用がかかる問題点がある。
【０００６】
そこで、少ない費用で、処理も簡便、さらに効果も優れた折衷的代案として美白パッチが提案されたことがある。
【０００７】
この美白用パッチは低濃度のカルボキサミドや過酸化物を基盤とした美白剤成分を含む軟膏剤が表面に塗布された製品であり、十分な美白成分を有し、長期間使用も可能なため、優れた美白効果だけでなく、使用指針によって歯牙の表面及び裏面に付着することだけで治療準備が終わるので、誰でも簡単に使うことができる。
【０００８】
しかし、この美白用パッチは歯牙に付着する粘着部分が水溶性であるため、長期間使用する場合、口まわりの筋肉の動きによって元の付着位置から離脱してしまい、軟膏部分が歯ぐきや舌又は口腔粘膜を刺激又は損傷させる問題点があった。
【０００９】
このような問題点を補うために、近年に開発されたものが歯牙美白装置である。この歯牙美白装置の一例としては、大韓民国実用新案登録第４１２０１６号に開示されているように、歯牙用可視光線重合器本体は、ケースとランプホルダーに区分され、ランプホルダーの中央にはランプが配置され、歯牙を白くして口臭を除去するためのゲル（gel)または虫歯を予防するための過酸化水素塗布用ゲル（gel)を塗布する別途のマウスピースに区分される。
【００１０】
このように構成された歯牙美白装置は、まずマウスピースに、歯牙を白くして口臭を除去するためのゲル（gel)または虫歯を予防するための過酸化水素塗布用ゲル（gel)を塗布した後、マウスピースを歯牙に結合し、マウスピースの前方にランプホルダーを当てて、ランプホルダーを口でくわえ、本体の電源ボタンを押して電源を印加すれば、ランプから可視光線が照射される一方、ランプホルダーを通じてマウスピースに照射されることにより、歯牙を白くし、又は過酸化水素が歯牙に塗布されるものになっている。
【００１１】
しかし、上記において、過酸化水素塗布用ゲル（gel)を塗布したマウスピースを歯牙に結合した後、ランプホルダーを口で噛み、ランプの可視光線が照射される過程が複雑であり、ランプの照射のみによりフッ素が歯牙に均一に塗布できないなどの問題点がある。
【００１２】
特に、本体に収容されたランプを点灯させるための乾電池が消耗すれば、ケースを分離した後、乾電池を入れ替えなければならない不便な点があると言える。
【発明の概要】
【発明が解決しようとする課題】
【００１３】
本発明は、前記のような問題点を解決するためになされたものであり、その目的は、マウスピースと本体が一体にすることにより、マウスピースに過酸化水素塗布用ゲル（gel)を塗布して直ちにランプを点灯させて、使用者が便利に使うことができることである。
【００１４】
また、他の目的は、本体の内部に振動素子を設置することにより、過酸化水素塗布用ゲル（gel)を歯牙に均一に塗布して、歯牙の美白効果を一層高めることである。
【００１５】
また、その他の目的は、本体の後方にＵＳＢポート充電器を設け、本体の内部の２次乾電池を充電することにより、既存のようにケースを分離する必要がなくなることである。
【課題を解決するための手段】
【００１６】
前記目的を達成するための本発明は、過酸化水素塗布用ゲル（gel)を塗布できるようにするマウスピース部１０と、取っ手ケース２０の内部先端に設けられ、光で歯牙を白くするためのランプ部２１と、前記取っ手ケース２０の内部にはＰＣＢコントロールパネル２２を中心に下側に収容された２次乾電池２３と、上側に設けられ、オンオフスイッチ２４によって作動する振動素子２５と、前記取っ手ケース２０の後方に設けられ、前記２次乾電池２３を充電するためのＵＳＢポート充電部２６とが、歯牙美白用本体１に備えられることによって達成される。
【発明の効果】
【００１７】
本発明はマウスピースと本体が一体になっているので、マウスピースに過酸化水素塗布用ゲルを塗布して直ちにランプを点灯させることにより、使用者が便利に使用できる。また本体の内部に振動素子を設置することにより、過酸化水素塗布用ゲルを歯牙に均一に塗布して歯牙の美白効果を一層高められる。さらに本体の後方にＵＳＢポート充電器を設けているので、本体の内部に配置された２次乾電池が放電した場合、直ちに充電することができる効果がある。
【図面の簡単な説明】
【００１８】
【図１】本発明の斜視図である。
【図２】本発明の側断面図である。
【図３】本発明の正面図である。
【発明を実施するための形態】
【００１９】
以下、本発明を添付図面に基づいて詳細に説明する。
【００２０】
まず、図１及び図２に示したように、過酸化水素塗布用ゲルを塗布できるマウスピース部１０と、取っ手ケース２０の内部先端に設けられ、光で歯牙を白くするためのランプ部２１と、前記取っ手ケース２０の内部にはＰＣＢコントロールパネル２２を中心に下側に収容された２次乾電池２３と、上側に設けられ、オンオフスイッチ２４によって作動する振動素子２５と、取っ手ケース２０の後方に設けられ、前記２次乾電池２３を充電するためのＵＳＢポート充電部２６とが、歯牙美白用本体１に備えられている。
【００２１】
ここで、オンオフスイッチ２４をオン（ＯＮ）させれば、取っ手ケース２０の上部に配置された電源ランプ２７が点灯される。
【００２２】
そして、前記マウスピース部１０には歯牙でくわえられる多数の歯牙噛合板１１が設けられ、前記歯牙噛合板１１の内側には、美白剤が歯牙の表面及び裏面を取り囲むようにアーチ板１２が配置されている。
【００２３】
ここで、歯牙噛合板１１は透明になっている。
【００２４】
そして、前記ランプ部２１は、上下に並列で多数のランプ２１ａが配置され、ランプ２１ａの上下側面には光を拡張させる導光板２１ｂが配置されている。
【００２５】
前記ランプ２１ａはＬＥＤからなって可視光線領域の光を生成する。
【００２６】
このように構成された本発明の作用は次のようである。
【００２７】
まず、歯牙美白用装置１を使う時、使用者はマウスピース部１０の歯牙噛合板１１上に美白剤を充填し、前記歯牙噛合板１１を上下歯の間に置き、噛むようにくわえる。すると、前記歯牙噛合板１１に塗布された美白剤が前方のアーチ板１２によって歯牙の表面及び裏面をくるむようになる。
【００２８】
これにより、美白剤に含有された美白成分によって歯牙に沈着した着色成分に対して、美白反応が始まる。
【００２９】
この状態で、前記オンオフスイッチ２４をオン（ＯＮ）させれば、前記電源ランプ２７が点灯されると同時に、ＰＣＢコントロールパネル２２に設定されたプログラムによって振動素子２５が振動し、ランプ部２１に設けられたランプ２１ａが点灯する。
【００３０】
したがって、多数のランプ２１ａが点灯されることにより、ＬＥＤの可視光線が放出されれば、光エネルギーによって美白剤に含有された光活性剤が活性化され、美白成分の美白反応が促進されることにより、美白治療時間を縮めるとともに美白効果を高めることができる。さらに。振動素子２５によって美白成分が歯牙に均一に塗布される効果もある。
【００３１】
一方、前記のように振動素子２５とランプ２１ａの点灯によって２次乾電池２３が放電されれば、取っ手ケース２０の後方に設けられたＵＳＢポート充電部２６に電源プラグを差し込んで充電できる。
【００３２】
以上、本発明を本発明の原理を例示するための好適な実施例について説明して図示したが、本発明はここで図示し説明した構成及び作用に限定されるものではない。
【００３３】
その他にも、添付の請求範囲の思想及び範疇を逸脱することなしに本発明の多数の変更及び修正が可能であることを当業者はよく理解することが可能であろう。
【００３４】
したがって、そのようなすべての適切な変更及び修正と均等物も本発明の範囲に属するものに見なされなければならないであろう。
【符号の説明】
【００３５】
１    歯牙美白用本体
１０    マウスピース部
２０    取っ手ケース
【図１】
0005903525.tif 000002
【図２】
0005903525.tif 000003
【図３】
0005903525.tif 000004